(57)【要約】【課題】１つの光源で方向の異なる２面をほぼ均一に発光させるインジケーターを提供することである。【解決手段】点状光源である１つの発光ダイオード２０と、発光ダイオード２０からの光を入射して方向の異なる第１出射面２１ｃ及び第２出射面２１ｄから出射するレンズ２１とを備えたインジケーターにおいて、レンズ２１は、発光ダイオード２０の中心付近の光を入射する第１入射面２１ａと、第１入射面２１ａとは入射角が異なり、発光ダイオード２０の中心付近の光を入射する第２入射面２１ｂとを備え、第１入射面２１ａから入射した発光ダイオード２０の中心付近の光は第１出射面２１ｃから出射し、第２入射面２１ｂから入射した発光ダイオード２０の中心付近の光は第２出射面２１ｄから出射する構成とする。【選択図】図２
2012230287.tif 000002
【特許請求の範囲】
【請求項１】
点状光源である１つの発光ダイオードと、該発光ダイオードからの光を入射して方向の異なる第１出射面及び第２出射面から出射するレンズとを備えたインジケーターにおいて、
前記レンズは、前記発光ダイオードの中心付近の光を入射する第１入射面と、該第１入射面とは入射角が異なり、前記発光ダイオードの中心付近の光を入射する第２入射面とを備え、
前記第１入射面から入射した前記発光ダイオードの中心付近の光は前記第１出射面から出射し、前記第２入射面から入射した前記発光ダイオードの中心付近の光は前記第２出射面から出射することを特徴とするインジケーター。
【請求項２】
前記第１入射面と前記第２入射面とが、凹状に隣接した平面であることを特徴とする請求項１記載のインジケーター。
【請求項３】
前記第１入射面と前記第２入射面とが、凸状に隣接した平面であることを特徴とする請求項１記載のインジケーター。
【請求項４】
前記第１入射面と前記第２入射面とを含む入射面が凹レンズであることを特徴とする請求項１記載のインジケーター。
【請求項５】
前記第１入射面と前記第２入射面とを含む入射面が凸レンズであることを特徴とする請求項１記載のインジケーター。
【請求項６】
前記第１出射面が正面、前記第２出射面が天面であり、前記第１入射面が第２入射面より下方であることを特徴とする請求項１〜５の何れかに記載のインジケーター。
【請求項７】
請求項１〜６の何れかに記載のインジケーターを備えた電気機器。
【発明の詳細な説明】
【技術分野】
【０００１】
本発明は、インジケーター及びそれを備えた電気機器に関する。
【背景技術】
【０００２】
電気機器には、その動作を知らせるためのインジケーターを備えているものが多く存在する。一般的なインジケーターは、光源と、光源からの光を出射方向に導くレンズとから構成されている。そして、レンズは所望の方向に導光するために様々な形状が提案されている。
【０００３】
例えば特許文献１には、ＤＶＤ装置内に配置されたＬＥＤ（Light Emitting Diode）からの光をＬ字形のレンズで導光して、このレンズの先端の発光面から発光するようにしたＤＶＤ装置におけるレンズの構造において、Ｌ字形のレンズが円柱形に形成されており、レンズの屈曲した角部が４５度の面でカットされ、レンズの水平部が先端になるにつれて次第に縮径されていて、レンズの垂直部の端面から光が導光され、この光がレンズのカット面で９０度反射され、水平部を導光されると共に縮径部分で集光されて発光面で発光されるように構成したことが開示されている。
【０００４】
また特許文献２には、プリズム本体の前面側に位置し、前記プリズム本体内部へ入射する光線について、入射前より入射後の広がり角度を小さくするための第１凸状部と第２凸状部を備える光入射部と、前記プリズム本体の上面側に位置し、前記第１凸状部を介して入射した光線を反射可能な第１反射面と、前記プリズム本体の背面側に位置し、前記第１反射面で反射された光線を射出する第１射出部と、前記第２凸状部を介して入射した光線を射出する第２射出部とを有するプリズムが開示されている。
【０００５】
また特許文献３には、インジケーター用発光素子の表示窓とリモートコントロール用受光素子の受光窓をパネル面に備えた電子機器において、第１、第２及び第３の端面を有した略Ｙ字状の導光部材を設け、発光素子と対向して第１の端面を設定し、この第１の端面から入射した発光素子の光束を第３の端面に導き、この第３の端面に照射されたリモートコントロール用信号光線を発光素子と対向して設定した第２の端面に導くように形成した発光素子及び受光素子の導光構造が開示されている。
【０００６】
また特許文献４には、光源ＬＥＤと、この光源ＬＥＤの投射光経路に位置する光路変換機構とを具え、前記光路変換機構は、光源ＬＥＤに対向する第１導光体と前記投射光経路上で前記導光体に隣接する第２導光体とを具え、第１導光体の光源ＬＥＤへ対向する第１端面は前記投射光経路と直交する一方、第２導光体と隣接する第２端面は前記第１端面に対して非平行に形成され、前記第２導光体は断面直角三角形である三角柱で構成され直角三角形の斜辺部端面が第１導光体の前記第２端面に密着し、光源ＬＥＤからの放射光は第２導光体で、直進光とこの直進光と直角をなす側光に変換できる照明装置が開示されている。
【先行技術文献】
【特許文献】
【０００７】
【特許文献１】特開２００７−２４９０９６号公報
【特許文献２】特開２０１０−２２４０８９号公報
【特許文献３】登録実用新案第２５０３８１５号公報
【特許文献４】実用新案登録第３１３８６６４号公報
【発明の概要】
【発明が解決しようとする課題】
【０００８】
ところで、ＢＤ（Blu-ray Disc）プレーヤ等に設けられるインジケーターには、その正面と天面の両方が発光するものがある。この種のインジケーターは、例えば、光源として点状のＬＥＤを１つと、ＬＥＤからの光を導いて正面と天面に出射するＬ字型のレンズを１つとから構成される。
【０００９】
ここで、ＬＥＤから発せられる光はほぼ平行光であり、ＬＥＤの中心付近の強い光はレンズ内のほぼ同じ光路を通って正面又は天面のどちらか一方に偏って出射される。したがって、インジケーターの正面と天面を均一に発光させることが難しく、この問題は上記の特許文献１〜４の技術では解決できない。
【００１０】
本発明は、１つの光源で方向の異なる２面をほぼ均一に発光させるインジケーターを提供することを目的とする。また、そのインジケーターを備えた電気機器を提供することも目的とする。
【課題を解決するための手段】
【００１１】
上記目的を達成するために本発明は、点状光源である１つの発光ダイオードと、該発光ダイオードからの光を入射して方向の異なる第１出射面及び第２出射面から出射するレンズとを備えたインジケーターにおいて、前記レンズは、前記発光ダイオードの中心付近の光を入射する第１入射面と、該第１入射面とは入射角が異なり、前記発光ダイオードの中心付近の光を入射する第２入射面とを備え、前記第１入射面から入射した前記発光ダイオードの中心付近の光は前記第１出射面から出射し、前記第２入射面から入射した前記発光ダイオードの中心付近の光は前記第２出射面から出射することを特徴とする。
【００１２】
上記のインジケーターにおいて、前記第１入射面と前記第２入射面とは、凹状に隣接した平面とすることができる。
【００１３】
また上記のインジケーターにおいて、前記第１入射面と前記第２入射面とは、凸状に隣接した平面とすることもできる。
【００１４】
また上記のインジケーターにおいて、前記第１入射面と前記第２入射面とを含む入射面が凹レンズであってもよい。
【００１５】
また上記のインジケーターにおいて、前記第１入射面と前記第２入射面とを含む入射面が凸レンズであってもよい。
【００１６】
また上記のインジケーターにおいて、前記第１出射面が正面、前記第２出射面が天面であり、前記第１入射面が第２入射面より下方とすることができる。
【００１７】
また本発明は、上記の何れかのインジケーターを備えた電気機器とする。
【発明の効果】
【００１８】
本発明によると、インジケーターを１つの光源で方向の異なる２面をほぼ均一に発光させることができる。例えば、異なる２面が正面及び天面である場合、ユーザが正面から見た場合でも斜め上方から見た場合でも視認しやすくなる。
【図面の簡単な説明】
【００１９】
【図１】本発明の一実施形態であるＢＤプレーヤの外観斜視図である。
【図２】インジケーターの第１実施形態の概略構成を示す側断面図である。
【図３】インジケーターの第２実施形態の概略構成を示す側断面図である。
【図４】インジケーターの第３実施形態の概略構成を示す側断面図である。
【図５】インジケーターの第４実施形態の概略構成を示す側断面図である。
【図６】比較例のインジケーターの概略構成を示す側断面図である。
【発明を実施するための形態】
【００２０】
以下、本発明のインジケーターを備えた電気機器としてＢＤプレーヤを例に説明する。図１は、本発明の一実施形態であるＢＤプレーヤの外観斜視図である。ＢＤプレーヤ１０は、装置全体を覆う略直方体の筐体１１と、筐体１１の前面を覆う前面パネル１２と、ＢＤ等を載置して出し入れするディスクトレイ１３と、前面パネル１２に配設された電源ボタン１４と、前面パネル１２に配設された再生ボタン１４と、電源ボタン１４の上方であって前面パネル１２の上端角部に形成された開口部に臨む出射面を有し、電源のオン／オフを示すインジケーター１６と、再生ボタン１５の上方であって前面パネル１２の上端角部に形成された開口部に臨む出射面を有し、再生／停止を示すインジケーター１７とを備えている。
【００２１】
インジケーター１６、１７は、正面及び天面の出射面が発光することで、ユーザが正面から見た場合でも斜め上方から見た場合でも視認しやすくなっている。インジケーター１６とインジケーター１７は同様の構成であるので、以下ではインジケーター１６を例に説明する。
【００２２】
図２は、インジケーター１６の第１実施形態の概略構成を示す側断面図である。インジケーター１６は、点状光源である１つの発光ダイオード（以下、ＬＥＤと記す）２０と、ＬＥＤ２０からの光を入射してＢＤプレーヤ１０の正面及び天面から出射するレンズ２１とを備えている。
【００２３】
ＬＥＤ２０としては各色使用でき、ＬＥＤ２０から発せられる光はほぼ平行光であり、構造上ＬＥＤ２０の中心付近の光が最も強くなる。
各色使用できる。
【００２４】
レンズ２１は、側断面が略Ｌ字型の一体成型品であり、ＬＥＤ２０に対向してＬＥＤ２０の中心付近の光を入射する第１入射面２１ａと、第１入射面２１ａとは入射角が異なり、ＬＥＤ２０に対向してＬＥＤ２０の中心付近の光を入射する第２入射面２１ｂと、方向の異なる第１出射面（ＢＤプレーヤ１０の正面側の出射面）２１ｃ及び第２出射面（ＢＤプレーヤ１０の天面側の出射面）２１ｄと、第１出射面２１ｃに略対向する第１反射面２１ｅと、第２出射面２１ｄに略対向する第２反射面２１ｆとを備えている。
【００２５】
第１入射面２１ａと第２入射面２１ｂとで入射面が上下２分割されている。第１及び第２入射面２１ａ、２１ｂはそれぞれ略矩形状又は略半円状の平面であり、第１入射面２１ａが下方で第２入射面２１ｂが上方となるように隣接し、第１入射面２１ａと第２入射面２１ｂとが凹状（レンズ２１の内側方向に凹むよう）に当接している。
【００２６】
第１入射面２１ａから入射したＬＥＤ２０の中心付近やや下方の光（図２の一点破線で示す光）は第１及び第２反射面２１ｅ、２１ｆで反射を繰り返して第１出射面２１ｃから出射する。一方、第２入射面２１ｂから入射したＬＥＤ２０の中心付近やや上方の光（図２の破線で示す光）は第１及び第２反射面２１ｅ、２１ｆで反射を繰り返して第２出射面２１ｄから出射する。なお、逆に、第１入射面２１ａから入射したＬＥＤ２０の中心付近の光が第２出射面２１ｄから出射し、第２入射面２１ｂから入射したＬＥＤ２０の中心付近の光が第１出射面２１ｃから出射するような構成であってもよい。
【００２７】
また、ＬＥＤ２０の中心付近の外側の弱い光（図２の二点破線で示す光）は第１入射面２１ａ又は第２入射面２１ｂから入射し、第１及び第２反射面２１ｅ、２１ｆで反射を繰り返して第１出射面２１ｃ又は第２出射面２１ｄから出射する。
【００２８】
このように、入射面を凹状に隣接した２平面（第１及び第２入射面２１ａ、２１ｂ）で構成することにより、ＬＥＤ２０が１つであっても、ＬＥＤ２０の中心付近の強い光が、第１出射面２１ｃと第２出射面２１ｄとからほぼ均等に出射されるので、インジケーター１６の正面と天面をほぼ均一に発光させることができる。
【００２９】
図３は、インジケーター１６の第２実施形態の概略構成を示す側断面図である。第１実施形態と異なる点はレンズ２２の入射面の形状である。その他の構成は第１実施形態と同様であるのでその詳細な説明を省略する。
【００３０】
レンズ２２は、第１入射面２２ａと第２入射面２２ｂとで入射面が上下２分割されている。第１及び第２入射面２２ａ、２２ｂはそれぞれ略矩形状又は略半円状の平面であり、第１入射面２２ａが下方で第２入射面２２ｂが上方となるように隣接し、第１入射面２２ａと第２入射面２２ｂとが凸状（レンズ２１の外側方向に突出するよう）に当接している。
【００３１】
第１入射面２２ａから入射したＬＥＤ２０の中心付近やや下方の光（図３の一点破線で示す光）は第１及び第２反射面２２ｅ、２２ｆで反射を繰り返して第１出射面２２ｃから出射する。一方、第２入射面２２ｂから入射したＬＥＤ２０の中心付近やや上方の光（図３の破線で示す光）は第１及び第２反射面２２ｅ、２２ｆで反射を繰り返して第２出射面２２ｄから出射する。なお、逆に、第１入射面２２ａから入射したＬＥＤ２０の中心付近の光が第２出射面２２ｄから出射し、第２入射面２２ｂから入射したＬＥＤ２０の中心付近の光が第１出射面２２ｃから出射するような構成であってもよい。
【００３２】
また、ＬＥＤ２０の中心付近の外側の弱い光（図３の二点破線で示す光）は第１入射面２２ａ又は第２入射面２２ｂから入射し、第１及び第２反射面２２ｅ、２２ｆで反射を繰り返して第１出射面２２ｃ又は第２出射面２２ｄから出射する。
【００３３】
このように、入射面を凸状に隣接した２平面（第１及び第２入射面２２ａ、２２ｂ）で構成することにより、ＬＥＤ２０が１つであっても、ＬＥＤ２０の中心付近の強い光が、第１出射面２２ｃと第２出射面２２ｄとからほぼ均等に出射されるので、インジケーター１６の正面と天面をほぼ均一に発光させることができる。
【００３４】
図４は、インジケーター１６の第３実施形態の概略構成を示す側断面図である。第１実施形態と異なる点はレンズ２３の入射面の形状である。その他の構成は第１実施形態と同様であるのでその詳細な説明を省略する。
【００３５】
レンズ２３は、入射面が上下方向に弧を描く略矩形状又は略半円状の凹レンズとなっており、ここではその下半分を第１入射面２３ａ、上半分を第２入射面２３ｂと称する。
【００３６】
第１入射面２３ａから入射したＬＥＤ２０の中心付近やや下方の光（図４の一点破線で示す光）は第１及び第２反射面２３ｅ、２３ｆで反射を繰り返して第１出射面２３ｃから出射する。一方、第２入射面２３ｂから入射したＬＥＤ２０の中心付近やや上方の光（図４の破線で示す光）は第１及び第２反射面２３ｅ、２３ｆで反射を繰り返して第２出射面２３ｄから出射する。なお、逆に、第１入射面２３ａから入射したＬＥＤ２０の中心付近の光が第２出射面２３ｄから出射し、第２入射面２３ｂから入射したＬＥＤ２０の中心付近の光が第１出射面２３ｃから出射するような構成であってもよい。
【００３７】
また、ＬＥＤ２０の中心付近の外側の弱い光（図４の二点破線で示す光）は第１入射面２３ａ又は第２入射面２３ｂから入射し、第１及び第２反射面２３ｅ、２３ｆで反射を繰り返して第１出射面２３ｃ又は第２出射面２３ｄから出射する。
【００３８】
このように、入射面を凹レンズで構成することにより、ＬＥＤ２０が１つであっても、ＬＥＤ２０の中心付近の強い光が、第１出射面２３ｃと第２出射面２３ｄとからほぼ均等に出射されるので、インジケーター１６の正面と天面をほぼ均一に発光させることができる。
【００３９】
図５は、インジケーター１６の第４実施形態の概略構成を示す側断面図である。第１実施形態と異なる点はレンズ２４の入射面の形状である。その他の構成は第１実施形態と同様であるのでその詳細な説明を省略する。
【００４０】
レンズ２４は、入射面が上下方向に弧を描く略矩形状又は略半円状の凸レンズとなっており、ここではその下半分を第１入射面２４ａ、上半分を第２入射面２４ｂと称する。
【００４１】
第１入射面２４ａから入射したＬＥＤ２０の中心付近やや下方の光（図５の一点破線で示す光）は第１及び第２反射面２４ｅ、２４ｆで反射を繰り返して第１出射面２４ｃから出射する。一方、第２入射面２４ｂから入射したＬＥＤ２０の中心付近やや上方の光（図５の破線で示す光）は第１及び第２反射面２４ｅ、２４ｆで反射を繰り返して第２出射面２４ｄから出射する。なお、逆に、第１入射面２４ａから入射したＬＥＤ２０の中心付近の光が第２出射面２４ｄから出射し、第２入射面２４ｂから入射したＬＥＤ２０の中心付近の光が第１出射面２４ｃから出射するような構成であってもよい。
【００４２】
また、ＬＥＤ２０の中心付近の外側の弱い光（図５の二点破線で示す光）は第１入射面２４ａ又は第２入射面２４ｂから入射し、第１及び第２反射面２４ｅ、２４ｆで反射を繰り返して第１出射面２４ｃ又は第２出射面２４ｄから出射する。
【００４３】
このように、入射面を凸レンズで構成することにより、ＬＥＤ２０が１つであっても、ＬＥＤ２０の中心付近の強い光が、第１出射面２４ｃと第２出射面２４ｄとからほぼ均等に出射されるので、インジケーター１６の正面と天面をほぼ均一に発光させることができる。
【００４４】
次に、上記の各実施形態に対する比較例について説明する。図６は、比較例のインジケーターの概略構成を示す側断面図である。各実施形態と異なる点はレンズ３０の入射面の形状である。その他の構成は各実施形態と同様であるのでその詳細な説明を省略する。
【００４５】
レンズ３０は、入射面が１つの平面となっており、ここではその下半分を第１入射面３０ａ、上半分を第２入射面３０ｂと称する。
【００４６】
第１入射面３０ａから入射したＬＥＤ２０の中心付近やや下方の光（図６の一点破線で示す光）は第１及び第２反射面３０ｅ、３０ｆで反射を繰り返して第２出射面３０ｄから出射する。また、第２入射面３０ｂから入射したＬＥＤ２０の中心付近やや上方の光（図６の破線で示す光）も第１及び第２反射面３０ｅ、３０ｆで反射を繰り返して第２出射面３０ｄから出射する。
【００４７】
一方、ＬＥＤ２０の中心付近の外側の弱い光（図６の二点破線で示す光）は第１入射面３０ａ又は第２入射面３０ｂから入射し、第１及び第２反射面３０ｅ、３０ｆで反射を繰り返して第１出射面３０ｃから出射する。
【００４８】
このように、レンズ３０の入射面を１つの平面で形成すると、ＬＥＤ２０の中心付近の強い光が第２出射面３０ｄから出射され、ＬＥＤ２０の中心付近の外側の弱い光が第１出射面３０ｃから出射されるので、インジケーターの天面の発光は強く、正面の発光は弱くなる。したがって、ユーザが正面から見た場合にインジケーターが暗く視認しにくい。
【００４９】
このように、本発明によれば、比較例のようにレンズの入射面を１つの平面で設計するよりも光の方向を設計しやすく、所望の方向に発光させやすい。
【産業上の利用可能性】
【００５０】
本発明のインジケーターを備えた電気機器としては、ＤＶＤやＢＤ等の光ディスクプレーヤ、光ディスクレコーダ、ＨＤＤレコーダ、テレビ受像機、それらの複合機をはじめ、各種電気機器に利用することができる。
【符号の説明】
【００５１】
１０  ＢＤプレーヤ（電気機器）
１６、１７  インジケーター
２０  発光ダイオード
２１〜２４  レンズ
２１ａ、２２ａ、２３ａ、２４ａ  第１入射面
２１ｂ、２２ｂ、２３ｂ、２４ｂ  第２入射面
２１ｃ、２２ｃ、２３ｃ、２４ｃ  第１出射面
２１ｄ、２２ｄ、２３ｄ、２４ｄ  第２出射面
【図１】
2012230287.tif 000003
【図２】
2012230287.tif 000004
【図３】
2012230287.tif 000005
【図４】
2012230287.tif 000006
【図５】
2012230287.tif 000007
【図６】
2012230287.tif 000008